(57)【要約】【課題】本発明は、挟持安定性及び防水効果や防塵効果が優れた光ケーブル保護機構を提供する。【解決手段】複数の芯線を有する光ケーブルを保護するために用いられる光ケーブル保護機構であって、前記光ケーブルを貫通させ且つ一端に第一ネジ部が形成されたチューブと、前記光ケーブルの分岐部分に設置され且つ前記チューブ内に装着される分岐部と、前記チューブ内に装着され且つ前記分岐部を挟持する複数の爪部を有する第一クランプと、前記チューブの第一ネジ部に螺合し且つ傾斜面である押圧面を有する第一留具と、を備え、前記第一留具を前記チューブの第一ネジ部に螺合すると、前記第一留具の押圧面が前記第一クランプの複数の爪部を押圧して、前記複数の爪部が前記分岐部の外周面に集められて前記分岐部をさらに挟持して、前記光ケーブルを強固に挟持する。【選択図】図２
2012048208.tif 000002
【特許請求の範囲】
【請求項１】
複数の芯線を有する光ケーブルを保護するために用いられる光ケーブル保護機構であって、
前記光ケーブルを貫通させ且つ一端に第一ネジ部が形成されたチューブと、
前記光ケーブルの分岐部分に設置され且つ前記チューブ内に装着される分岐部と、
前記チューブ内に装着され且つ前記分岐部を挟持する複数の爪部を有する第一クランプと、
前記チューブの前記第一ネジ部に螺合し且つ傾斜面である押圧面を有する第一留具と、を備え、
前記第一留具を前記チューブの前記第一ネジ部に螺合すると、前記第一留具の前記押圧面が前記第一クランプの前記複数の爪部を押圧して、前記複数の爪部が前記分岐部の外周面に集められて前記分岐部をさらに挟持して、前記光ケーブルを強固に挟持することを特徴とする光ケーブル保護機構。
【請求項２】
前記爪部には、前記押圧面に当接される押圧受部が形成され、
前記押圧受部には、前記押圧面に押圧される受圧面が斜めに形成されることを特徴とする請求項１に記載の光ケーブル保護機構。
【請求項３】
前記第一クランプは、前記光ケーブルをカバーする基体をさらに備え、
前記複数の爪部は、前記基体から延出して形成されることを特徴とする請求項１又は２に記載の光ケーブル保護機構。
【請求項４】
前記分岐部には、前記光ケーブルの複数の芯線をそれぞれ貫通させる複数の通線孔が設けられていることを特徴とする請求項１から３のいずれか１項に記載の光ケーブル保護機構。
【請求項５】
前記分岐部の外周壁には、前記基体の前記爪部から離れている一端の端面に当接するストッパーが形成されることを特徴とする請求項１から４のいずれか１項に記載の光ケーブル保護機構。
【請求項６】
前記第一ネジ部が形成されている前記チューブの一端の内部には、前記第一クランプ及び前記分岐部を収納するための第一収納部が設置されることを特徴とする請求項１から５のいずれか１項に記載の光ケーブル保護機構。
【請求項７】
前記チューブの他端の外周壁には、第二ネジ部が形成され、その内部には第二収納部が形成され、
前記光ケーブル保護機構は、前記第二収納部の内部に装着される第二クランプ、保護管及び前記第二ネジ部に螺合する第二留具をさらに備え、
前記保護管は、前記光ケーブルをカバーし、前記第二クランプは、前記保護管を挟持する前記複数の爪部を備え、前記第二留具の内部には、前記第二クランプの前記爪部に対応する押圧面が斜めに形成され、
前記第二留具を前記第二クランプの前記第二ネジ部に螺合すると、前記第二留具の前記押圧面が前記第二クランプの前記複数の爪部を押圧して、前記第二クランプの前記複数の爪部が前記保護管の外周面に集められて前記保護管をさらに挟持して、前記光ケーブルを強固に挟持することを特徴とする請求項１から６のいずれか１項に記載の光ケーブル保護機構。
【発明の詳細な説明】
【技術分野】
【０００１】
本発明は、光ケーブル保護機構に関し、特に多芯光ケーブルを保護する光ケーブル保護機構に関するものである。
【背景技術】
【０００２】
光通信技術の発展に伴って、光ケーブルが多く使用されている。光ケーブルは、破損しやすいので、室外などの悪条件の環境では（湿気、ほこり、又は外力による引っ張り等）、光ケーブルの破損しやすい部分に保護部を設置する。例えば、光ケーブルを保護管でカバーして、水やほこりが光ケーブル内部のファイバーを汚すことを防ぎ、光ケーブルが外力で過度に曲げられ、折れることを防ぐ。しかし、一般的な保護管は、光ケーブルを固定する時の安定性が低く、水やほこりを防ぐ効果が低いので、光ケーブルを効果的に保護できない。
【発明の概要】
【発明が解決しようとする課題】
【０００３】
以上の問題点に鑑みて、本発明は、挟持安定性及び防水効果や防塵効果が優れた光ケーブル保護機構を提供する。
【課題を解決するための手段】
【０００４】
前記目的を達成するために、本発明に係る光ケーブル保護機構は、複数の芯線を有する光ケーブルを保護するために用いられる光ケーブル保護機構であって、前記光ケーブルを貫通させ且つ一端に第一ネジ部が形成されたチューブと、前記光ケーブルの分岐部分に設置され且つ前記チューブ内に装着される分岐部と、前記チューブ内に装着され且つ前記分岐部を挟持する複数の爪部を有する第一クランプと、前記チューブの第一ネジ部に螺合し且つ傾斜面である押圧面を有する第一留具と、を備え、前記第一留具を前記チューブの第一ネジ部に螺合すると、前記第一留具の押圧面が前記第一クランプの複数の爪部を押圧して、前記複数の爪部が前記分岐部の外周面に集められて前記分岐部をさらに挟持して、前記光ケーブルを強固に挟持する。
【発明の効果】
【０００５】
本発明の光ケーブル保護機構２００において、前記第一留具２５、前記第一クランプ２３及び前記分岐部２４が協働して光ケーブルを挟持・固定するので、光ケーブルの固定強度が高い。外力で光ケーブルを引っ張っても、前記光ケーブルは安定的に挟持される。しかも、前記分岐部２４が光ケーブルの各芯線を分岐するので、後の装着及び使用が便利である。前記光ケーブル保護機構２００の各部品を組み立ててから、前記分岐部２４が光ケーブルの各芯線を緊密に被覆するので、水やほこりによる光ケーブル及び芯線の汚れを防ぐ。また、悪条件の環境でも、光ケーブルを効果的に保護することができる。前記光ケーブル保護機構２００は螺合方法を採用して組み立てられるので、前記光ケーブル保護機構２００の各部品を容易に分離して、破損した部品を取り替えることができ、従って前記光ケーブル保護機構２００の使用コストを低減する。
【図面の簡単な説明】
【０００６】
【図１】本発明に係る光ケーブル保護機構の斜視図である。
【図２】図１に示した光ケーブル保護機構の分解図である。
【図３】図１に示した光ケーブル保護機構の別の視角からの分解図である。
【図４】図１に示した光ケーブル保護機構のＩＶ−ＩＶに沿う断面図である。
【発明を実施するための形態】
【０００７】
以下、図面に基づいて、本発明に係る光ケーブル保護機構について詳細に説明する。
【０００８】
図１〜図３を参照すると、本発明に係る光ケーブル保護機構２００は、チューブ２１、第一クランプ２３、分岐部２４、第一留具２５、第二クランプ２６、保護管２７及び第二留具２８を備える。前記第一クランプ２３、前記分岐部２４、前記第二クランプ２６及び前記保護管２７は、前記チューブ２１内に収納され、前記第一留具２５及び前記第二留具２８は、それぞれ前記チューブ２１の両端に取り付けられて、前記第一クランプ２３、前記分岐部２４、前記第二クランプ２６及び前記保護管２７が前記チューブ２１から脱落することを防止する。
【０００９】
図４を参照すると、前記チューブ２１の一端には、前記第一留具２５を螺合するための第一ネジ部２１１が形成されており、前記チューブ２１の他端には、前記第二留具２８を螺合するための第二ネジ部２１３が形成されている。前記チューブ２１の外周面には、第一フランジ２１４及び第二フランジ２１５が互いに離間して形成される。前記第一ネジ部２１１は、前記第一フランジ２１４と前記チューブ２１の一端との間に位置し、前記第二ネジ部２１３は、前記第二フランジ２１５と前記チューブ２１の他端との間に位置する。前記第一留具２５は、前記第一フランジ２１４に当止され、前記第二留具２８は、前記第二フランジ２１５に当止される。前記チューブ２１の内部において、前記第一ネジ部２１１に対応する位置には第一収納部２１６が形成され、前記第二ネジ部２１３に対応する位置には第二収納部２１７が形成されている。前記第一収納部２１６には、前記第一クランプ２３及び前記分岐部２４が収納され、前記第二収納部２１７には、前記第二クランプ２６及び前記保護管２７が収納される。本実施形態において、前記チューブ２１は、円筒状を呈し、硬質プラスチックからなり、前記フランジ２１４及び２１５は、多角形を呈する。また、前記チューブ２１と前記フランジ２１４，２１５との形状は、本実施形態の形状だけに限定されるものではなく、必要によって変更することができる。また、光ケーブルが使用される環境に応じて、前記チューブ２１は金属材料からなることもできる。
【００１０】
前記第一クランプ２３は、リング状の基体２３１及び前記基体２３１の側端部から延出して形成された複数の爪部２３３を備える。各爪部２３３の前記基体２３１から離れている自由端には、押圧受部２３３１が突設される。前記押圧受部２３３１の前記基体２３１から離れている片側には、受圧面２３３３が斜めに形成されている。本実施形態において、前記第二クランプ２６の構造は、前記第一クランプ２３の構造と同じである。即ち、前記第二クランプ２６は、基体２６１及び爪部２６３を備え、且つ前記爪部２６３には、押圧受部２６３１及び受圧面２６３３が形成されている。
【００１１】
前記第一留具２５は、ナットであり、且つ螺合部２５１及び制限部２５３を備える。前記制限部２５３は、リング状であり、前記螺合部２５１の一端に形成されている。前記螺合部２５１の外周壁には、ユーザーが前記第一留具２５を付け外しすることに役立つパターン２５１１が設置され、前記螺合部２５１の内周壁には、前記第一ネジ部２１１に対応する内部ねじ山２５１３が形成されている。前記制限部２５３の内周壁には、押圧面２５３１が斜めに形成されている。前記押圧面２５３１が囲む円錐台状の通孔（図示せず）を形成する。前記通孔は、前記分岐部２４の端部及び前記第一クランプ２３の爪部２３３の端部を収納するために用いられ、前記第一クランプ２３の基体２３１から離れる方向に沿って前記通孔の直径がだんだん小さくなる。本実施形態において、前記第二留具２８の構造は、前記第一留具２５の構造と同じである。即ち、前記第二留具２８は、螺合部２８１及び制限部２８３を備え、且つ前記第二留具２８の制限部２８３の内周壁には、押圧面２８３１が斜めに形成されている。
【００１２】
前記分岐部２４は、円柱状を呈し、その軸方向に沿って複数の通線孔２４１が設けられ、前記分岐部２４の一端の外周壁にはストッパー２４３が突設されている。本実施形態において、前記分岐部２４は、フォーム材からなるが、ほかの柔軟性材料からなることもできる。
【００１３】
前記保護管２７の一端の外周壁には、脱落防止部２７１が形成されている。本実施形態において、前記脱落防止部２７１は、フランジであり、前記保護管２７は、柔軟性材料からなる。
【００１４】
前記光ケーブル保護機構２００は、四つの芯線を有する光ケーブル（図示せず）を保護するために用いられる。通常、前記光ケーブル保護機構２００は、光ケーブルの四つの芯線が分岐する位置に実装される。前記光ケーブル保護機構２００を前記光ケーブルに実装する場合、前記第二留具２８の制限部２８３及び螺合部２８１と、前記保護管２７と、前記チューブ２１と、を順次に貫通した前記光ケーブルの各芯線を前記分岐部２４のストッパー２４３側から複数の前記通線孔２４１にそれぞれ挿入して、前記分岐部２４の前記ストッパー２４３から離れている一端から前記光ケーブルを引き出す、続いて、前記光ケーブルは、前記第一クランプ２３、前記第一留具２５の螺合部２５１及び前記制限部２５３を順次に貫通して、最後に、前記第一留具２５の外部に引き出される。前記保護管２７は前記第二クランプ２６を貫通し、前記保護管２７の脱落防止部２７１は前記第二クランプ２６の基体２６１に当接される。この時、前記第二クランプ２６の複数の爪部２６３は、前記保護管２７の外周壁を挟持する。一体化された前記第二クランプ２６及び前記保護管２７を、前記脱落防止部２７１が第二収納部２１７の底壁に当接されるように前記チューブ２１の第二収納部２１７内に装着する。次に、前記第二留具２８の螺合部２８１が前記チューブ２１のフランジ２１５に当接するまで、前記第二留具２８の螺合部２８１を前記チューブ２１の第二ネジ部２１３に螺合する。この時、前記第二留具２８の押圧面２８３１が前記第二クランプ２６の複数の爪部２６３の受圧面２６３３を押圧して、前記複数の爪部２６３が集められる。したがって、前記複数の爪部２６３が前記保護管２７をさらに挟持して、前記保護管２７の内部の光ケーブルを強固に挟持する。前記分岐部２４は前記第一クランプ２３を貫通し、前記第一クランプ２３の前記爪部２３３から離れている一端の端面が前記分岐部２４のストッパー２４３に当接される。この時、前記第一クランプ２３の複数の爪部２３３は、前記分岐部２４の外周壁を挟持する。一体化された前記第一クランプ２３及び前記分岐部２４を、前記ストッパー２４３が前記第一収納部２１６の底壁に当接されるように前記チューブ２１の第一収納部２１６内に装着する。続いて、前記第一留具２５の螺合部２５１が前記チューブ２１のフランジ２１４に当接するまで、前記第一留具２５の螺合部２５１を前記チューブ２１の第一ネジ部２１１に螺合する。この時、前記第一留具２５の押圧面２５３１が前記第一クランプ２３の複数の爪部２３３の受圧面２３３３を押圧して、前記複数の爪部２３３が集められる。したがって、前記複数の爪部２３３が前記分岐部２４をさらに挟持して、前記分岐部２４の内部の光ケーブルの各芯線を強固に挟持する。
【００１５】
前記光ケーブル保護機構２００において、前記第一留具２５、前記第一クランプ２３及び前記分岐部２４が協働して光ケーブルを挟持及び固定するので、光ケーブルの固定強度が高い。外力で光ケーブルを引っ張っても、前記光ケーブルは安定して挟持される。さらに、前記分岐部２４が光ケーブルの各芯線を分岐するので、後の装着及び使用に便利である。前記光ケーブル保護機構２００の各部品を組み立ててから、前記分岐部２４が光ケーブルの各芯線を緊密に被覆するので、水やほこりによる光ケーブル及び芯線の汚れを防ぐ。また、悪条件の環境でも、光ケーブルを効果的に保護することができる。前記光ケーブル保護機構２００は螺合方法を採用して組み立てられるので、前記光ケーブル保護機構２００の各部品を容易に分離して、破損した部品を取り替えることができ、従って前記光ケーブル保護機構２００の使用コストを低減する。
【００１６】
また、防水や防塵などの要求が厳しくない場合、前記保護管２７、前記第二クランプ２６及び前記第二留具２８を省略することができ、それに対応して、前記チューブ２１の第二ネジ部２１３及び前記第二フランジ２１５も省略することができる。また、前記光ケーブル保護機構２００を光ケーブルのうち湿気、ほこり等の環境中に暴露されている部分に設置することもできる。
【００１７】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００１８】
２００                光ケーブル保護機構
２１                  チューブ
２１１                第一ネジ部
２１３                第二ネジ部
２１４                第一フランジ
２１５                第二フランジ
２１６                第一収納部
２１７                第二収納部
２３                  第一クランプ
２３１                基体
２３３                爪部
２３３１              押圧受部
２３３３              受圧面
２４                  分岐部
２４１                通線孔
２４３                ストッパー
２５                  第一留具
２５１、２８１        螺合部
２５１１              パターン
２５３、２８３        制限部
２５３１、２８３１    押圧面
２６                  第二クランプ
２６１                基体
２６３                爪部
２６３１              押圧受部
２６３３              受圧面
２７                  保護管
２７１                脱落防止部
２８                  第二留具
【図１】
2012048208.tif 000003
【図２】
2012048208.tif 000004
【図３】
2012048208.tif 000005
【図４】
2012048208.tif 000006